(57)【特許請求の範囲】
【請求項１】
同一面側に印字面を有する記録票と記録控票とを第一切取り部を介して分離可能に連接してなる帯状の出力用帳票が複数枚綴じ合わされている出力用帳票組であって、前記出力用帳票は記録票の端部側で綴じ合わされ、かつ、各出力用帳票は記録票の印字面と記録控票の印字面とが対向するように折り合わされていることを特徴とする携帯端末機の出力用帳票組。
【請求項２】
記録控票の折り部と反対側の端部に第二切取り部を介して綴じ込み片が分離可能に連接され、該綴じ込み片が上記記録票の端部と共に綴じ合わされている請求項１に記載の携帯端末機の出力用帳票組。
【請求項３】
綴じ込み片が折り部を介して上位の出力用帳票の記録票に連接して、複数の出力用帳票がＺ状に繋がっている請求項２に記載の携帯端末機の出力用帳票組。
【発明の詳細な説明】
【０００１】
【発明の属する技術分野】
本発明はハンディーターミナルなどと称される携帯端末機のプリント部に装填できる出力用帳票を束ねた帳票組に関するものである。
【０００２】
【発明が解決しようとする課題】
従来、携帯端末機の主な使用形態の一つとしては、金融機関の営業係などが顧客廻りでその顧客からの入金を受け、その入金情報などをこの携帯端末機に入力することが行われている。そして、このような金銭の授受で利用される帳票としては複数枚の帳票が綴じ合わされた形態であって、この複数枚の帳票を綴じ合わせたもの、即ち通帳として顧客が所持するようにしており、前述の携帯端末機を使用する場合に、その携帯端末機のプリント部に装填できるように帯状とした帳票が複数枚が綴じ合わされた状態となっている。
図７は上記した携帯端末機により情報出力される出力用帳票組ａを示している。図示されているように、携帯端末機のこの出力用帳票組ａは複数枚の出力用帳票ｂが一方の端部側で綴じ合わされており、上述したようにこの出力用帳票それぞれは携帯端末機のプリント部に装填できるように細長の帯状としている。そして、携帯端末機への入力情報などに対応する情報を印字した控えも必要とされることから、前記出力用帳票ｂそれぞれは記録票ｃと記録控票ｄとから構成され、複数枚の記録票ｃの一方の端部を綴じ込むとともに、各記録票ｃの前記綴じ込み部分と反対側の端部側に前記記録控票ｄを分離可能に綴じ合わせ、その記録控票ｄを記録票ｃの上面に重ね合わせていた。記録票ｃと記録控票ｄへの情報出力はこの両者を重ね合わせた状態で携帯端末機のプリント機構から出力できるようにカーボンシステム、或いはノンカーボンシステムが採用されており、上位の記録控票側から打ち込まれた情報が記録票にも複写されるようにしていた。また、サーマルヘッド形式のプリント部を有する携帯端末機に対応するものでは、上位の記録控票を感熱紙とし、その裏面に熱転写インキを塗布しておき、サーマルヘッドからの出力情報を記録控票に表示させるとともに、前記熱転写インキの転移により記録票にも情報が表示されるように構成したものもあった。
【０００３】
しかしながら、上記出力用帳票組の出力用帳票は、記録票と記録控票との素材そのものが異なる２パーツ構造であるため、製造コストが高くなるという不都合があった。また、記録票と記録控票とを重ね合わせた状態で携帯端末機のプリント部に装填して印字時にフィードするため、そのフィード時に上下の記録票と記録控票とが相互にズレて適正位置に出力情報が印字されないという問題を生じていた。
そこで、本発明者は、上記携帯端末機のプリント部における出力設定で、同一の情報印字を複数回出力させたり、出力レイアウトなどを如何様にも変更できる点に着目したものであり、本発明においては、上記記録票と記録控票とを同一の素材から設けるとともに、携帯端末機のプリント部への装填に際しては記録票と記録控票とを重ね合わせることなく、一枚のシート物として装填できるようにすることを課題とし、出力される印字のズレを無くし、そして、出力用帳票組を低コストにて製造できるようにすることを目的とする。
【０００４】
【課題を解決するための手段】
本発明は上記課題を考慮してなされたもので、同一面側に印字面を有する記録票と記録控票とを第一切取り部を介して分離可能に連接してなる帯状の出力用帳票が複数枚綴じ合わされている出力用帳票組であって、前記出力用帳票は記録票の端部側で綴じ合わされ、かつ、各出力用帳票は記録票の印字面と記録控票の印字面とが対向するように折り合わされていることを特徴とする携帯端末機の出力用帳票組を提供して、上記課題を解消するものである。そして、記録控票の折り部と反対側の端部に第二切取り部を介して綴じ込み片が分離可能に連接され、その綴じ込み片が記録票の端部と共に綴じ合わされているようにすることも可能であり、さらに、前記綴じ込み片が折り部を介して上位の出力用帳票の記録票に連接して、複数の出力用帳票がＺ状に繋がっているものとすることも可能である。
【０００５】
本発明において、出力用帳票それぞれは、記録票と記録控票とが第一切取り部を介して分離可能に連接し、この記録票と記録控票との印字面を対向させて折り合わされたものとしていることから、この出力用帳票に対して情報出力する際には、折り合わされている状態を開いて記録控票側から携帯端末機のプリント部に装填し、記録控票から記録票へと順に情報印字できるようになり、また、記録控票が綴じ込み片に連接されている場合にはその綴じ込み片から分離することで、同じように記録控票側から携帯端末機のプリント部に装填できるようになる。
【０００６】
【発明の実施の形態】
つぎに本発明を図１から図６に示す実施の形態に基づいて詳細に説明する。
図１と図２は第一の例を示していて、図中１は携帯端末機の出力用帳票組である。この出力用帳票組１は短冊状の表紙２と裏表紙３との間に複数枚の出力用帳票４を配置してこれらを一方の端部で綴じ合わせ、その綴じ合わせ部５が背表紙６で覆われている。
前記出力用帳票４は携帯端末機のプリント部に装填して情報印字が行われる帯状のシートであって、この出力用帳票４それぞれは上記表紙２や裏表紙３よりその長さが長尺にし、かつ、前記プリント部に装填できる幅寸法を備えたものであり、表紙２や裏表紙３の端部位置に対応する個所を第一折り部７として折り重ねられている。そして、出力用帳票４は上述した従来例と同じように、記録票８と記録控票９とを備えていて、上記綴じ合わせ部５で前記記録票８が綴じ合わされ、この記録票８の綴じ合わせ部５と反対側の端部に、前記記録控票９が切取りミシン目からなる第一切取り部１０を介して連接されている。前記切取り部１０の位置は図示の例において上記第一折り部と同じ位置としたが、必要に応じて切取りミシン目の穿設位置を変えるようにしてもよい。なお、前記綴じ合わせ部での綴じ合わせ手法はステープル留めや接着剤を用いるものなど各種のものが採用できるものである。
そして、前記出力用帳票４を伸ばしたときに上面となる片面側が印字面１１として設けられており、前記記録票８と記録控票９とはそれぞれの印字面１１を対向させた状態で折り合わされている。このように各出力用帳票４において、記録票８と記録控票９とが印字面１１を内側にして折り合わされているため、記録票と記録控票との間を開くまでは前記印字面が外界から保護された状態となっている。
なお、図示されている第一の例では、上記記録票８の綴じ合わせ部５側に記録控票９に覆われない余白部分があるが、この部分は携帯端末機のプリント部の機構上、そのプリント部に入れることのできない送り代１２であって印字出力が行われる部分ではない。このため、記録票、記録控票に対する「記録票」「記録控票」などの固定情報を予め印刷する場合に、前記送り代１２にも印紙貼着欄や帳票通し番号などの情報を印刷にて設けることが可能である。
【０００７】
図３と図４とは第二の例を示している。この第二の例の出力用帳組１では、各出力用帳票４それぞれが第一折り部７から二つ折りされた状態となっており、上記記録控票９の前記第一折り部７と対向する端部９ａに切取りミシン目からなる第二切取り部１３を介して綴じ込み片１４が分離可能に連接され、この綴じ込み片１４が上記綴じ合わせ部５にて綴じ合わされている。このように各出力用帳票４は未使用のときには印字面１１を内側にした状態で二つ折りされ、上記送り代１２の表面（印刷面と同平面側）も表出していない。そして、この出力用帳票４を携帯端末機のプリント部に装填する場合には綴じ込まれている綴じ込み片１４から記録控票９を切取りミシン目１３で分離すればよく、その記録控票９の端部９ａから携帯端末機のプリント部に装填できるようになる。
このように各出力用帳票それぞれが印字面を内側とするように二つ折りされていることから、未使用時には印字面が保護されるようになる。さらに、綴じ込み片と記録控票とが連接して未使用の出力用帳票は、帳票組の取り扱い時にも開くことがなく、よって、帳票組全体がバラ付かず取り扱いが簡単になる。
【０００８】
図５と図６は第三の例を示している。この第三の例の出力用帳票組１において最上位から最下位に位置する複数枚の出力用帳票４はＺ状に繋がっているものである。即ち、図示するように最上位に位置する出力用帳票４を除いた他の出力用帳票４において、綴じ込み片１４の第二切取り部１３と反対側の端部が第二折り部１５を介して、その上位に位置する出力用帳票４の記録票８の綴じ込み部側の端部に連接しているものである。このように第三の例の出力用帳票組１では、複数枚の出力用帳票４が連接し、前記第一折り部７と第二折り部１５とで折り合わされてＺ状に畳まれており、上記第二の例と同じように記録票８の端部と綴じ込み片１４とが綴じ合わされ、各出力用帳票４は二つ折りされた状態となっている。
そして、この第三の例における出力用帳票組を使用する場合には、上記第二の例と同じように綴じ込み片から記録控票を分離し、その記録控票を携帯端末機のプリント部に装填すればよい。
【０００９】
なお、図に示された１６は綴じ孔であり、携帯端末機により情報印字が行われ記録帳から分離した記録控票を綴じ込むために利用される孔である。また、上記各例の出力用帳票は、携帯端末機のプリント部がインパクトプリント形式であるならば通常紙が用いられ、サーマルヘッドを備えたサーマル出力形式であるならば印刷面が感熱発色処理が施されたものとする。
【００１０】
【発明の効果】
以上説明したように、本発明の携帯端末機の出力用帳票組は、同一面側に印字面を有する記録票と記録控票とを第一切取り部を介して分離可能に連接してなる帯状の出力用帳票が複数枚綴じ合わされている出力用帳票組であって、前記出力用帳票は記録票の端部側で綴じ合わされ、かつ、各出力用帳票は記録票の印字面と記録控票の印字面とが対向するように折り合わされていることを特徴とするものである。これによって、記録票と記録控票とを連続させた一体のものとして出力用帳票が得られ、従来の出力用帳票のように２パーツからなるものに比べて低コストにて製造できるようになる。また、印字面を内側となるようにして記録票と記録控票とが折り合わされているため、記録票と記録控票との間を開くまでその記録票と記録控票の各印字面が保護され、清浄に保つことができる。さらに、従来のような二枚重ね状態で携帯端末機のプリント部に装填する必要がなく、印字ズレを生じさせずに適正に印字できるようになる。
また、上記記録控票の折り部と反対側の端部に第二切取り部を介して綴じ込み片を分離可能に連接させ、その綴じ込み片を記録票の端部と共に綴じ合わせるようにすることで、綴じ込み片と記録控票とが連接している未使用の出力用帳票は帳票組の取り扱い時にも開くことがなくなり、帳票組全体がバラ付かず取り扱いが簡単になる。さらに、前記綴じ込み片を折り部を介して上位の出力用帳票の記録票に連接させて、複数の出力用帳票がＺ状に繋がる構造とすれば、複数枚の出力用帳票が連続している連続紙を折り畳んで、その端部側を綴じ込むという簡易な製造を実施できるようになり、実用性に優れた効果を奏するものである。
【図面の簡単な説明】
【図１】本発明に係る携帯端末機の出力用帳票組の第一の例を分解した状態で示す説明図である。
【図２】同じく第一の例を断面で示す説明図である。
【図３】第二の例を分解した状態で示す説明図である。
【図４】同じく第二の例を断面で示す説明図である。
【図５】第三の例を分解した状態で示す説明図である。
【図６】同じく第三の例を断面で示す説明図である。
【図７】従来例を断面で示す説明図である。
【符号の説明】
１…出力用帳票組
４…出力用帳票
５…綴じ合わせ部
７…第一折り部
８…記録票
９…記録控票
１０…第一切取り部
１１…印字面
１３…第二切取り部
１４…綴じ込み片
１５…第二折り部
【図１】
0003542092.tif 000002
【図２】
0003542092.tif 000003
【図３】
0003542092.tif 000004
【図４】
0003542092.tif 000005
【図５】
0003542092.tif 000006
【図６】
0003542092.tif 000007
【図７】
0003542092.tif 000008